(57)【要約】【課題】固定式のドアハンドルとほぼ同様の強度および操作性を実現できる吸盤式ドアハンドルを提供する。【解決手段】取付部２ａは、円板状の吸盤１１と円柱部１３とで構成され、円柱部１３の端部が把持部３に固定された吸着部材１０と、吸着部材１０と把持部３との間に配置された有底円筒型の部材で構成され、円柱部１３と共に軸方向に移動するノブ２０と、吸着部材１０とノブ２０との間に配置された円筒状部材で構成され、円筒部３１の前端部が吸盤１１の背面に当接し、かつ円筒部３１の後端部にカム面が形成されたカム部材３０とを備えている。ノブ２０の底部２２に形成された突起とカム部材３０のカム面とが当接し、ノブ２０の回転に伴って、円柱部１３および吸盤１１の中心部が、被取付面から遠ざかる方向に移動する。【選択図】図２
2012017586.tif 000002
【特許請求の範囲】
【請求項１】
開閉部材の被取付面に取り付けられる一対の取付部と、両端に前記一対の取付部が固定された把持部とを備えた吸盤式ドアハンドルであって、
前記それぞれの取付部は、
柔軟性のある材料で形成された円板状の吸盤と、前記吸盤の吸着面の背面側に取り付けられ、中心軸が前記吸盤の中心軸と略一致する円柱部とで構成され、前記円柱部の端部が前記把持部に固定された吸着部材と、
前記吸着部材と前記把持部との間に配置された有底円筒型の部材で構成され、円筒部の端部が前記吸盤と対向し、底部の中心部に前記円柱部が貫通する開口が形成され、回転の軸心が前記中心軸と略一致し、かつ前記円柱部と共に中心軸方向に移動するノブと、
前記吸着部材と前記ノブとの間に配置された円筒状部材で構成され、円筒部の前端部が前記吸盤の背面に当接し、かつ前記円筒部の後端部にカム面が形成されたカム部材と、を備え、
前記ノブの底部に形成された突起と前記カム部材のカム面とが当接し、前記ノブの回転に伴って、前記円柱部および吸盤の中心部が、前記開閉部材の被取付面から遠ざかる方向に移動することを特徴とする吸盤式ドアハンドル。
【請求項２】
前記吸盤は、相対的に硬い材料で形成された中心部と、相対的に柔らかい材料で形成された周辺部とで構成されていることを特徴とする、請求項１に記載の吸盤式ドアハンドル。
【請求項３】
前記吸着部材の円柱部の外周面にリング状の第１の係止部が形成され、
かつ前記ノブの開口の周辺に先端が中心側に突出した第２の係止部が形成され、
前記第２の係止部の先端が前記吸盤と前記第１の係合部とによって挟まれることにより、前記円柱部が前記ノブと一体となって中心軸方向に移動することを特徴とする、請求項１または２に記載の吸盤式ドアハンドル。
【請求項４】
前記吸盤の背面に複数の突起が円周上に等間隔に形成され、
かつ前記カム部材の前端部内周側のフランジ（３２）に複数の穴が形成され、
前記複数の突起が前記複数の穴にそれぞれ係合されることにより、前記カム部材の回転が阻止されることを特徴とする、請求項１ないし３のいずれかに記載の吸盤式ドアハンドル。
【請求項５】
前記第２の係止部を取り囲むようにリング状のコイルが配置され、このコイルは前記ノブの回転を阻むように作用することを特徴とする、請求項１ないし４のいずれかに記載の吸盤式ドアハンドル。
【発明の詳細な説明】
【技術分野】
【０００１】
本発明は、引き戸や開き戸を開閉する際に使用する吸盤式のドアハンドルに関する。
【背景技術】
【０００２】
マンションや一戸建て住宅のベランダや窓にはアルミサッシよりなる引き戸が設けられているが、一般に、このような引き戸にはドアノブが備え付けられていない。このため、居住者が引き戸を開閉する場合には、引き戸の縦枠に指を掛けたり、引き戸のガラス面に手のひらを圧着させたりすることにより、手の力を引き戸に伝達させて開閉している。
【０００３】
しかし、縦枠に指を掛けたりガラス面に手のひらを圧着させたりして引き戸に力を伝達する方法は、手の力が引き戸に適切に伝わらないことが多く、引き戸を開閉するのが困難な場合がある。
【０００４】
このような問題に対応するため、吸盤式のドアノブが提案されている（例えば、特許文献１参照）。吸盤式のドアノブは、被取付面に吸着可能な吸盤と、この吸盤の吸着面とは反対側に設けられた回転用のノブとで構成されている。
【０００５】
特許文献１に記載のドアノブを用いれば、吸盤を引き戸の被取付面に吸着させることにより、ドアノブを引き戸に簡単に取り付けることができる。また吸盤の吸着力によってドアノブを固定しているため、引き戸からの取り外しも容易である。
【先行技術文献】
【特許文献】
【０００６】
【特許文献１】特開２０００−２７４９８号公報
【発明の概要】
【発明が解決しようとする課題】
【０００７】
一般に用いられるドアハンドルとして、中央部に人の手で把持する把持部が配置され、両端が湾曲して引き戸等に固定されたものがある。この形状のドアハンドルは、持ち易く操作性にも優れているため、吸盤式のドアハンドルにも上述の形状を採用したいという要望がある。
【０００８】
しかし、特許文献１に記載された吸盤式ドアノブの構造を上述のドアハンドルに採用しようとすると、吸盤の後部に回転用のノブが設けられているために、把持部を吸盤に直接固定することができない。結果として、固定式のドアハンドルと同様の強度および操作性を備えた吸盤式ドアハンドルを実現することは困難であった。
【０００９】
本発明は上述の問題点に鑑みてなされたもので、把持部の両端に吸盤が取り付けられたドアハンドルについて、固定式のドアハンドルとほぼ同様の強度および操作性を実現できる吸盤式ドアハンドルを提供することを目的とする。
【課題を解決するための手段】
【００１０】
上記目的を達成するため本発明にかかる吸盤式ドアハンドルは、開閉部材の被取付面に取り付けられる一対の取付部と、両端に前記一対の取付部が固定された把持部とを備えた吸盤式ドアハンドルであって、
前記それぞれの取付部は、
柔軟性のある材料で形成された円板状の吸盤と、前記吸盤の吸着面の背面側に取り付けられ、中心軸が前記吸盤の中心軸と略一致する円柱部とで構成され、前記円柱部の端部が前記把持部に固定された吸着部材と、
前記吸着部材と前記把持部との間に配置された有底円筒型の部材で構成され、円筒部の端部が前記吸盤と対向し、底部の中心部に前記円柱部が貫通する開口が形成され、回転の軸心が前記中心軸と略一致し、かつ前記円柱部と共に中心軸方向に移動するノブと、
前記吸着部材と前記ノブとの間に配置された円筒状部材で構成され、円筒部の前端部が前記吸盤の背面に当接し、かつ前記円筒部の後端部にカム面が形成されたカム部材と、を備え、
前記ノブの底部に形成された突起と前記カム部材のカム面とが当接し、前記ノブの回転に伴って、前記円柱部および吸盤の中心部が、前記開閉部材の被取付面から遠ざかる方向に移動することを特徴とする。
【００１１】
ここで、前記吸盤は、相対的に硬い材料で形成された中心部と、相対的に柔らかい材料で形成された周辺部とで構成されていることが好ましい。
【００１２】
また前記吸着部材の円柱部の外周面にリング状の第１の係止部が形成され、
かつ前記ノブの開口の周辺に先端が中心側に突出した第２の係止部が形成され、
前記第２の係止部の先端が前記吸盤と前記第１の係合部とによって挟まれることにより、前記円柱部が前記ノブと一体となって中心軸方向に移動するように構成されていることが好ましい。
【００１３】
また前記吸盤の背面に複数の突起が円周上に等間隔に形成され、
かつ前記カム部材の前端部内周側のフランジ（３２）に複数の穴が形成され、
前記複数の突起が前記複数の穴にそれぞれ係合されることにより、前記カム部材の回転が阻止されるように構成されていることが好ましい。
【００１４】
また前記第２の係止部を取り囲むようにリング状のコイルが配置され、このコイルは前記ノブの回転を阻むように作用することが好ましい。
【発明の効果】
【００１５】
本発明の吸盤式ドアハンドルは、回転用のノブが吸盤と把持部との間に配置され、把持部が吸盤に直接接続されているため、固定式のドアハンドルとほぼ同様の強度および操作性を実現できる。
【図面の簡単な説明】
【００１６】
【図１】本発明の実施の形態にかかる吸盤式ドアハンドルの外観を示す斜視図である。
【図２】図１のＡ−Ａ線で切断した取付部の断面図である。
【図３】図１の吸着部材１０を上方から見た平面図である。
【図４】図１のノブ２０を下方から見た平面図である。
【図５】図１のカム部材３０を上方から見た平面図である。
【図６】ノブ２０の円筒部およびカム部材３０の円筒部の一部を平面に展開した状態を示す図である。
【図７】取付部がガラス戸に取り付けられる前の状態と取り付けられた後の状態を示す正面図である。
【発明を実施するための形態】
【００１７】
以下、本発明の実施の形態にかかる吸盤式ドアハンドルについて、図面を参照しながら説明する。
【００１８】
＜吸着式ドアハンドルの構成＞
図１に本実施の形態にかかる吸盤式ドアハンドル１の外観を示す。吸盤式ドアハンドル１は、人の手で把持される把持部３の湾曲した両端部に取付部２ａおよび２ｂがそれぞれ固定されている。
【００１９】
図２に、図１の吸盤式ドアハンドル１をＡ−Ａ線で切断した取付部２ａの断面を示す。取付部２ａは、吸着部材１０、ノブ２０およびカム部材３０で構成されている。以下、それぞれの部材について説明する。なお、以後の説明では、被取付面の方向を前方、それと逆方向を後方とする。
【００２０】
図３に、図２の吸着部材１０を上方から見た図を示す。吸着部材１０は、柔軟性のある材料で作製された円板状の吸盤１１と、この吸盤１１の吸着面１２の背面側に取り付けられ、中心軸が吸盤１１の中心軸Ｘと略一致する円柱部１３で構成されている。
【００２１】
吸盤１１の吸着面１２は平坦に形成されている。一方、吸着面１２の背面側には、リング状のフランジ１４、円周上に等間隔に配置された第１の突起１５および円柱部１３の付け根付近に配置された第２の突起１６が設けられている。更に、吸盤１１の外周部には、吸盤１１を被取付面から剥がす際に用いる舌片１７が形成されている。
【００２２】
円柱部１３の中心に円柱状の空洞が形成され、その空洞に把持部３の一部である円柱６が挿入されている。円柱部１３は接着剤等によりこの円柱６に固定されている。
【００２３】
また図２に示すように円柱部１３の中間部には、リング状の係止部１８が形成されている。係止部１８の機能については、ノブ２０の説明の中で併せて説明する。
【００２４】
吸盤１１および円柱部１３の材料には合成樹脂が用いられる。本実施の形態では、硬さの異なる２種類の合成樹脂を組み合わせて用いている。具体的には、円柱部１３および吸盤１１の中心部には相対的に硬い合成樹脂を用い、周辺部には相対的に柔らかい合成樹脂を用いている。その理由については後述する。
〔備考：ご指示に従い、材料名を一般名称に変更しました。ご確認ください。〕
【００２５】
図４にノブ２０を下方から見た図を示す。前述の図２に示すように、ノブ２０は、把持部３と吸着部材１０によって挟まれる状態で配置されている。またノブ２０は、円筒部２１および底部２２からなる有底円筒型の強固な部材で形成されている。本実施の形態では、ノブ２０の材料に硬質の合成樹脂を用いている。
【００２６】
底部２２の中心部には、吸着部材１０の円柱部１３が貫通する円形の開口２３が形成されている。また底部２１の周縁部には突起２４および２５が形成されている。突起２４および２５はカムとして作用する。その動作については、後に図６を用いて説明する。
【００２７】
また開口２３の周辺には、先端が中心方向に突出した複数（図では６個）の係止部２６が等間隔に配置されている。図２に示すように、ノブ２０の係止部２６の先端は、吸着部材１０の吸盤１１と円柱部１３に形成された係止部１８とによって挟まれている。従って、ノブ２０が中心軸Ｘの方向に移動すると、これに合わせて円柱部１３も移動する。
【００２８】
図５にカム部材３０を上方から見た図を示す。カム部材３０は円筒状の部材で構成され、図２に示すように、吸着部材１０に当接し、かつノブ２０によって覆われている。本実施の形態では、ノブ２０と同様に、カム部材３０の材料に硬質の合成樹脂を用いている。また図２に示すように、吸盤１１の背面に形成されたフランジ１４が、ノブ２０の円筒部２１とカム部材３０の円筒部３１の間に挟まれるように配置されている。
【００２９】
カム部材３０の円筒部３１の前端部内周側にはフランジ３２が形成され、更にフランジ３２の内周側に、一部が切欠かれた複数の穴３３が形成されている。カム部材３０の前端部が吸着部材１０の吸盤１１に当接した状態において、穴３３が吸盤１１の背面に形成された突起１５と係合することにより、カム部材３０が回転するのを防止している。
【００３０】
カム部材３０の円筒部３１の後端部の端面にカム面３４が形成されている（図５および図６参照）。ノブ２０を回転させたときに、ノブ２０の底部２２に設けられた突起２４および２５がカム面３４に当接することにより、ノブ２０はカム面３４の形状に沿って中心軸Ｘの方向に移動する。
【００３１】
また図２および図４に示すように、ノブ２０の係止部２６を取り囲むようにコイルばね４０が配置されている。コイルばね４０の一方の端は、吸盤１１の背面に形成された突起１６（図３参照）に係止され、他方の端は、ノブ２０の係止部２６の１つに係止されている（図示せず）。コイルばね４０により、ノブ２０の回転を阻止する方向の力が常に働いている。
【００３２】
＜取り付け動作＞
次に、図６および図７を参照して、ドアハンドル１を開閉部材の非取付面に取り付ける際の動作について説明する。図６（ａ）〜（ｃ）は、ノブ２０の円筒部２１およびカム部材３０の円筒部３１の内周面の一部（円周の約１／２）を平面に展開した状態を示す。また図７（ａ）、（ｂ）は、取付部２ａが被取付面に取り付けられる前の状態と取り付けられた後の状態を示す。
【００３３】
ドアハンドル１を開閉部材であるガラス戸の非取付面に取り付ける際には、図７（ａ）に示すように、取付部２ａおよび２ｂの吸盤１１をガラス戸４の非取付面５に押し付けて、吸盤１１と非取付面５との間の空気を抜いておく。その後、取付部２ａおよび２ｂのそれぞれのノブ２０を、時計回りに回転させる。
【００３４】
図６（ａ）〜（ｃ）に示すように、カム部材２０の底部２２に設けられた突起２４とノブ３０のカム面３４は、常に当接した状態にある。カム面３４には、凸部３４１、傾斜部３４２および凹部３４３が形成されている。
【００３５】
図６（ａ）はノブ２０を回す前の状態を示す。突起２４はカム面３４のうち凸部３４１と接する状態、すなわち傾斜部３４２の一番低い箇所に当接している。この状態では、図７（ａ）に示すように、吸盤１１の吸着面１２は平坦な状態でガラス戸４の被取付面５と接触している。
【００３６】
次に、図６（ｂ）に示すように、人手によりノブ２０を矢印で示す方向（時計回り）に回転させると、突起２４が傾斜部３４２の傾斜面に沿って上方に移動し、これにつれてノブ２０も上方（ガラス戸４から離れる方向）に移動する。
【００３７】
前述したように、ノブ２０の内周側に設けられた係止部２６の先端が吸盤１１と円柱部１３に設けられたリング状の係止部１８とによって挟まれているため（図２参照）、ノブ２０と円柱部１３は、中心軸Ｘ方向に一体となって移動する。一方、吸盤１１の周辺部はカム部材３０の先端部によってガラス戸４の方向に押さえ付けられている。更にフランジ１４によって吸盤１１が中心方向に引っ張られて変移するのを阻止している。
【００３８】
前述したように、吸盤１１の周辺部は中心部に比較して柔らかい材料で作製されているため、ノブ２０を時計回りに回すと、吸盤１１の周辺部が伸びると共に中心部がガラス戸４から離れる方向に移動して、吸盤１１の吸着面との間に隙間ができ、その部分が負圧状態になる。
【００３９】
ノブ２０を、図６（ｂ）から図６（ｃ）に示す状態まで回すと、突起２４がカム面３４の凹部３４３に嵌まり込み、その状態に保持される。またカム面３４の突起部３４１の先端が突起２５に当接する。図７（ｂ）に、この状態における取付部２ａの正面図を示す。この状態においては、破線で示すように吸盤１１の吸着面１２とガラス戸４との間の隙間が最大となり、吸盤１１は大気圧によってガラス戸４に強く押し付けられる。
【００４０】
ドアハンドル１のもう一方の取付部２ｂについても、同様の操作によってガラス戸４に取り付けられる。この状態では、取付部２ａおよび２ｂは大気圧によってガラス戸４に強く押し付けられているため、人の手で把持部３を握り、相当の力で引いても、取付部２ａおよび２ｂをガラス戸４から引き剥がすことはできない。このようにして、ドアハンドル１は、引き戸等に取り付けられた固定式のドアハンドルと同様の機能を実現し、ドアハンドル１により引き戸等の開閉を行うことができる。
【００４１】
一方、ドアハンドル１をガラス戸４から取り外す際には、取付部２ａ，２ｂのノブ２０を反時計回りに回せば、ノブ２０の突起２４がカム面３４の凹部３４３から外れる。取付部２ａ，２ｂは、図６（ａ）〜（ｃ）に示す状態を逆行して図７（ａ）に示す状態に戻り、吸盤１１とガラス戸４との間に形成された負圧状態が解消される。結果として、吸盤１１をガラス戸４から簡単に取り外すことができる。
【００４２】
以上説明したように、本発明の吸盤式ドアハンドルを用いれば、ノブを回すという簡単な動作によって取付部を被取付面に取り付けたり、取り外したりできる。また、本発明の吸盤式ドアハンドルは、回転用のノブが吸盤と把持部との間に配置され、把持部が吸盤に直接接続されているため、固定式のドアハンドルとほぼ同様の強度および操作性を実現できる。
【００４３】
なお、上述の実施の形態においては、ノブ２０の係止部２６を吸盤１１と係止部１８によって挟むことにより、ノブ２０と円柱部１３が一体となって軸方向に移動できるように構成したが、これ以外の構成によって軸方向の移動を実現してもよい。
【産業上の利用可能性】
【００４４】
本発明の吸盤式ドアハンドルは、引き戸や開き戸の開閉ばかりでなく、冷蔵庫や収納庫の開閉にも使用できるもので、その応用範囲は広い。
【符号の説明】
【００４５】
１  吸盤式ドアハンドル
２ａ、２ｂ  取付部
３  把持部
４  ガラス戸
５  被取付面
６、１３  円柱部
１０  吸着部材
１１  吸盤
１２  吸着面
１４、３２  フランジ
１５、１６、２４、２５  突起
１７  舌片
１８、２６  係止部
２０  ノブ
２１、３１  円筒部
２２  底部
２３  開口
３０  カム部材
３３  穴
３４  カム面
【図１】
2012017586.tif 000003
【図２】
2012017586.tif 000004
【図３】
2012017586.tif 000005
【図４】
2012017586.tif 000006
【図５】
2012017586.tif 000007
【図６】
2012017586.tif 000008
【図７】
2012017586.tif 000009